(57)【要約】【課題】従来と比較してアンテナカバーの着脱を容易にすることの可能なアンテナエレメント取付用ブラケット、並びに、従来と比較して容易に着脱することのできるアンテナカバーを提供する。【解決手段】アンテナ装置１において、ブラケット２０は、金属製であり、アンテナ４０の取付金具４１が螺合するアンテナ固定孔２１と、アンテナベース係合長孔２２,２３とを備える。ブラケット２０は、アンテナカバー３０に固定され又は一体的に形成される。アンテナカバー３０は、ネジ２４をブラケット２０のアンテナベース係合長孔２２,２３を介してアンテナ取付部１１に螺合することで、アンテナベース１１に固定できる。また、アンテナベース係合長孔２２,２３がアンテナ取付部１１と係合する範囲であれば、車輌によってアンテナ取付部１１の位置が変わってもアンテナベース１０に取付け可能である。【選択図】図１
2016208314.tif 000002
【特許請求の範囲】
【請求項１】
アンテナエレメントを取付け可能なアンテナエレメント固定孔と、アンテナベースのアンテナエレメント取付部に対する固定に使用される少なくとも１つの長孔と、を備える、アンテナエレメント取付用ブラケット。
【請求項２】
アンテナエレメントを取付け可能なブラケットが固定され又は一体的に形成されたアンテナカバーであって、前記ブラケットは、アンテナベースのアンテナエレメント取付部に対する固定に使用される少なくとも１つの長孔を有する、アンテナカバー。
【請求項３】
前記ブラケットが、車体のアンテナベース配置面に対して傾斜している、請求項２に記載のアンテナカバー。
【発明の詳細な説明】
【技術分野】
【０００１】
本発明は、例えばAM/FM帯あるいはAM/FM/DTV帯受信用アンテナ装置のアンテナベースに取り付けられるアンテナエレメント取付用ブラケット及びアンテナカバーに関する。
【背景技術】
【０００２】
従来から、車体に固定されるアンテナベースに、ポール状のアンテナを取付可能なアンテナ装置が知られている（下記特許文献１）。アンテナベースは、例えば車体のルーフ上にネジによって固定され、内側に増幅回路や整合回路が形成される基板を収容し、上方に基板と電気的に接続されると共にネジ溝が形成されたアンテナ取付部がインサート成型により一体的に設けられている。ポールアンテナは、ヘリカルコイルからなるアンテナエレメントを内蔵してポール状に形成され、基端にヘリカルコイルと電気的に接続されると共にネジ山が形成された取付金具を備え、アンテナベースのアンテナ取付部に取り外し可能に螺合される。このようなアンテナ装置を運転者の好みに応じて装飾するために、アンテナベースを覆うことができる、様々な形状や色のアンテナカバーが製品化されている。
【先行技術文献】
【特許文献】
【０００３】
【特許文献１】特開平１０−２１５１１１号公報
【発明の概要】
【発明が解決しようとする課題】
【０００４】
従来のアンテナカバーは両面テープによってルーフに固定されるため、一度固定すると容易に着脱することができなかった。
【０００５】
本発明はこうした状況を認識してなされたものであり、その目的は、従来と比較してアンテナカバーの着脱を容易にすることの可能なアンテナエレメント取付用ブラケット、並びに、従来と比較して容易に着脱することのできるアンテナカバーを提供することにある。
【課題を解決するための手段】
【０００６】
本発明のある態様は、アンテナエレメント取付用ブラケットであって、アンテナエレメントを取付け可能なアンテナエレメント固定孔と、アンテナベースのアンテナエレメント取付部に対する固定に使用される少なくとも１つの長孔と、を備える。
【０００７】
本発明のもう１つの態様は、アンテナエレメントを取付け可能なブラケットが固定され又は一体的に形成されたアンテナカバーであって、前記ブラケットは、アンテナベースのアンテナエレメント取付部に対する固定に使用される少なくとも１つの長孔を有する。
【０００８】
前記ブラケットが、車体のアンテナベース配置面に対して傾斜していてもよい。
【０００９】
なお、以上の構成要素の任意の組合せ、本発明の表現を方法やシステムなどの間で変換したものもまた、本発明の態様として有効である。
【発明の効果】
【００１０】
本発明によれば、従来と比較してアンテナカバーの着脱を容易にすることの可能なアンテナエレメント取付用ブラケット、並びに、従来と比較して容易に着脱することのできるアンテナカバーを提供することができる。
【図面の簡単な説明】
【００１１】
【図１】本発明の実施の形態に係るアンテナエレメント取付用ブラケット２０及びアンテナカバー３０を備えるアンテナ装置１の分解斜視図。
【図２】アンテナ装置１の斜視図。
【図３】アンテナエレメント取付用ブラケット２０及びアンテナカバー３０を断面としたアンテナ装置１の側面図。
【図４】アンテナエレメント取付用ブラケット２０及びアンテナカバー３０を断面とし、図１〜図３と比較してアンテナベース１０の形状を変更した、アンテナ装置２の側面図。
【図５】アンテナカバー３０に装飾を施したアンテナ装置３の側面図。
【発明を実施するための形態】
【００１２】
以下、図面を参照しながら本発明の好適な実施の形態を詳述する。なお、各図面に示される同一または同等の構成要素、部材等には同一の符号を付し、適宜重複した説明は省略する。また、実施の形態は発明を限定するものではなく例示であり、実施の形態に記述されるすべての特徴やその組み合わせは必ずしも発明の本質的なものであるとは限らない。
【００１３】
図１は、本発明の実施の形態に係るアンテナエレメント取付用ブラケット２０及びアンテナカバー３０を備えるアンテナ装置１の分解斜視図である。図２は、アンテナ装置１の斜視図である。図３は、アンテナエレメント取付用ブラケット２０及びアンテナカバー３０を断面としたアンテナ装置１の側面図である。図１に示すように、アンテナ装置１は、アンテナベース１０と、アンテナエレメント取付用ブラケット２０（以下「ブラケット２０」と表記）と、アンテナカバー３０と、アンテナ４０とを備える。
【００１４】
アンテナベース１０は、車体の例えばルーフ面にネジ等によって固定され、内側に増幅回路や整合回路が形成される基板（図示省略）を収容している。アンテナベース１０は、また、上部に、通常の使用時にポール状のアンテナを取り付けるために雌ネジが形成された金属製のアンテナ取付部１１を備えている。アンテナ取付部１１は前記基板の回路と電気的に接続され、後述するアンテナ４０からの受信信号はアンテナ取付部１１を介して前記基板の回路へと送られる。なお、アンテナ取付部１１は、通常の使用時において取り付けられるポール状のアンテナがアンテナベース１０に対して傾倒できるように回転可能に形成されている。
【００１５】
アンテナ４０は、ポール状に形成され、ヘリカルコイルからなる不図示のアンテナエレメントを内蔵し、基端には、アンテナ取付部１１と後述するブラケット２０に取り外し可能に螺合するようにネジ山が形成された取付金具４１を備えている。取付金具４１は、ヘリカルコイルと電気的に接続され、ヘリカルコイルで受信された信号は取付金具４１を介してアンテナ取付部１１あるいはブラケット２０へと送られる。
【００１６】
アンテナカバー３０は、図３に示すように、車体の例えばルーフ面に固定されるアンテナベース１０を覆う収容空間３１を有すると共に、アンテナベース１０に対して上方から被せられるように、収容空間３１の下方に開口部３２を有している。アンテナカバー３０において、収容空間３１に収容されるアンテナベース１０のアンテナ取付部１１付近の上方には、矩形の貫通孔３３が形成され、貫通孔３３の周縁には内側に突出するリブ３４が形成されている。
【００１７】
ブラケット２０は、金属製であって導電性を有し、板状且つアンテナカバー３０の貫通穴３３の周縁のリブ３４と略同形の矩形に形成され、リブ３４に接着又は溶着によって固定されている。なお、ブラケット２０は、アンテナカバー３０にインサート成型等で一体化されていてもよい。ブラケット２０において、長手方向の略中央には、アンテナ４０の取付金具４１が螺合されるようにネジ溝が形成されたアンテナ固定孔（アンテナエレメント固定孔）２１が形成され、その長手方向両側にはそれぞれ長手方向に延びるアンテナベース係合長孔２２,２３が形成されている。ネジ２４がアンテナベース係合長孔２２,２３のいずれかを上方から貫通してアンテナベース１０のアンテナ取付部１１に螺合することで、ネジ２４の頭部とアンテナ取付部１１とでブラケット２０を挟持して、ブラケット２０とアンテナ取付部１１とが電気的に接続されると共に、アンテナカバー３０がアンテナベース１０に固定される。ブラケット２０が導電性を有しているため、アンテナ４０で受信した信号が劣化することなくブラケット２０を介してアンテナ取付部１１へと送られる。
【００１８】
本実施の形態では、ブラケット２０は、アンテナベース１０と反対側の面が膨らむように長手方向に若干湾曲して形成され、アンテナカバー３０のリブ３４のブラケット取付面は、それに対応した形状に形成されると共にブラケット２０を所望の角度で固定するように傾けられている。このため、ブラケット２０は、車体のアンテナベース配置面に対して所望の角度傾斜する。なお、リブ３４の傾きやブラケット２０の湾曲形状、アンテナベース係合長孔２２,２３の位置及びそれぞれの長孔の長さは、車輌によって異なる様々なアンテナ取付部１１の角度や位置に対応できるように設定されている。図１の分解斜視図の例においては、これと対応する図３の断面図から分かるように、アンテナカバー３０は、アンテナベース１０のアンテナ取付部１１に、ブラケット２０のアンテナ固定孔２１の上側に位置するアンテナベース係合長孔２２を利用して取り付けられている。
【００１９】
以下、ブラケット２０が固定されたアンテナカバー３０の組み付け手順を説明する。
【００２０】
まず、アンテナ４０をアンテナベース１０から取り外し、アンテナカバー３０をアンテナベース１０上にセットする。アンテナカバー３０の下面を車体のルーフに接触させたままスライドさせ、ブラケット２０のアンテナベース係合長孔２２,２３の最適な位置に、アンテナベース１０のアンテナ取付部１１を係合させ、ブラケット２０を介してネジ２４をアンテナ取付部１１に螺合させる。これによって、アンテナカバー３０がアンテナベース１０に固定されると同時にブラケット２０からアンテナベース１０内の基板上の回路までの導電経路が確保される。続いて、先に取り外したアンテナ４０の取付金具４１を貫通孔３３を通してブラケット２０のアンテナ固定孔２１に螺合させる。なお、以上の説明では、アンテナベース１０に搭載されていたアンテナ４０をそのまま利用してブラケット２０に取り付けたが、搭載されていたアンテナ４０を取り除いて、アンテナカバー３０の装飾に合わせた別のデザインや色の新規のアンテナをブラケット２０に取り付けるようにしてもよい。
【００２１】
本実施の形態によれば、下記の効果を奏することができる。
【００２２】
(1) ブラケット２０は、ネジ２４をアンテナベース係合長孔２２,２３を介してアンテナベース１０のアンテナ取付部１１に螺合することで、アンテナベース１１に固定できるため、ブラケット２０を設けたアンテナカバー３０は、従来と比較して着脱を容易にすることができる。
【００２３】
(2) ブラケット２０は、アンテナベース係合長孔２２,２３がアンテナベース１０のアンテナ取付部１１に係合可能な範囲であればアンテナベース１０の形状が変わっても（アンテナ取付部１１の位置が変わっても）使用可能なため、ブラケット２０を設けたアンテナカバー３０は、従来と比較して多種類の車輌に対応可能な汎用性が高いものとなる。
【００２４】
(3) 上記のように容易に着脱可能とされたことにより、例えばロゴ入りのアンテナカバー３０や、キャラクターを模した外観にしたアンテナカバー３０等、多様なデザインのアンテナカバー３０を容易に着脱することができる。
【００２５】
図４は、ブラケット２０及びアンテナカバー３０を断面とし、図１〜図３と比較してアンテナベース１０の形状を変更した、アンテナ装置２の側面図である。図４に示すアンテナベース１０は、アンテナ取付部１１が回転しない構成となされており、アンテナ取付部１１の位置が、図１〜図３のアンテナベース１０と比較して低くなっている。このようにアンテナカバー３０をアンテナ取付部１１の位置が低い車輌に取り付ける場合、図４に示すように、ブラケット２０のアンテナ固定孔２１の下側に位置するアンテナベース係合長孔２３にネジ２４によりアンテナ取付部１１を取り付けることで、アンテナカバー３０をアンテナベース１０に固定することができる。
【００２６】
図５は、アンテナカバー３０に装飾を施したアンテナ装置３の側面図である。図５に示すように、アンテナカバー３０には、ロゴ３５が表示されていても良い。あるいはアンテナカバー３０は、外形がキャラクタをモディファイした形状にされていても良い。本実施の形態のアンテナカバー３０は容易に取り外しができるため、例えば、応援する野球チームのロゴやマーク入りアンテナカバー３０を、応援に行くときだけ取り付ける、というような利用の仕方ができる。なお、ロゴ３５はアンテナカバー３０にシールで張り付けてもよいし、印刷してもよい。以上のように、アンテナカバー３０により必要に応じてアンテナ装置のドレスアップが可能となり、使用者のニーズに応えることができる。
【００２７】
以上、実施の形態を例に本発明を説明したが、実施の形態の各構成要素や各処理プロセスには請求項に記載の範囲で種々の変形が可能であることは当業者に理解されるところである。例えば、アンテナベース係合長孔は、１つ又は３つ以上であってもよい。
【符号の説明】
【００２８】
１〜３  アンテナ装置、１０  アンテナベース、１１  アンテナ取付部、２０  アンテナエレメント取付用ブラケット、２１  アンテナ固定孔（アンテナエレメント固定孔）、２２,２３  アンテナベース係合長孔、２４  ネジ、３０  アンテナカバー、３１  収容空間、３２  開口部、３３  貫通孔、３４  リブ、３５  ロゴ、４０  アンテナ、４１  取付金具
【図１】
2016208314.tif 000003
【図２】
2016208314.tif 000004
【図３】
2016208314.tif 000005
【図４】
2016208314.tif 000006
【図５】
2016208314.tif 000007